(57)【要約】【課題】コンタクト室にゲルが流入する恐れのないゲルシールを提供する。【解決手段】１つのスリーブ（１３）を成すように補完し合う２つ又は複数のスリーブ部材（９）が設けられており、これらのスリーブ部材の内の少なくとも一方にゲル（１１）が充填されており、コンタクト（５）が差し込まれた状態でスリーブ（１３）を成すように閉じられたスリーブ部材（９）がそれぞれ導線（７）を取り囲んでおり、該導線（７）が、周囲のゲル（１１）によりシールされているようにした。【選択図】図１ａ
2007311351.tif 000002
【特許請求の範囲】
【請求項１】
別のコネクタ部材との電気的な差込み接続部を形成するためのコネクタ部材（２）であって、コンタクト（５）と、該コンタクト（５）を差し込むためのコンタクト室（４）と、該コンタクト室（４）に差し込まれたコンタクト（５）の導線（７）をシールするためのゲルシール（１１）とを備えている形式のものにおいて、
１つのスリーブ（１３）を成すように補完し合う２つ又は複数のスリーブ部材（９）が設けられており、これらのスリーブ部材の内の少なくとも一方にゲル（１１）が充填されており、コンタクト（５）が差し込まれた状態でスリーブ（１３）を成すように閉じられたスリーブ部材（９）がそれぞれ導線（７）を取り囲んでおり、該導線（７）が、周囲のゲル（１１）によりシールされていることを特徴とする、２つのハーフシェルから形成されたゲルシールを備えたコネクタ部材。
【請求項２】
ゲル（１１）が、スリーブ部材（９）によって形成されたスリーブ（１３）の内部で圧縮されている、請求項１記載のコネクタ部材。
【請求項３】
スリーブ（１３）が、それぞれゲル（１１）の充填された２つのハーフシェル（９）によって形成されている、請求項１又は２記載のコネクタ部材。
【請求項４】
スリーブ部材（９）が、コネクタ部材（２）のコネクタケーシング若しくはコンタクト支持体（３）に可動に、特にジョイントで支承されている、請求項１又は２記載のコネクタ部材。
【請求項５】
スリーブ部材（９）が、コネクタケーシング若しくはコンタクト支持体（３）と膜ヒンジ（１０）によって結合されている、請求項４記載のコネクタ部材。
【請求項６】
スリーブ部材（９）が、閉じられたスリーブ位置でコネクタケーシング若しくはコンタクト支持体（３）と結合可能、特に係止可能である、請求項１又は２記載のコネクタ部材。
【請求項７】
スリーブ部材（９）が、閉じられたスリーブ位置で互いに位置固定可能、特に係止可能である、請求項１から６までのいずれか１項記載のコネクタ部材。
【発明の詳細な説明】
【技術分野】
【０００１】
本発明は、別のコネクタ部材との電気的な差込み接続部を形成するためのコネクタ部材であって、コンタクトと、該コンタクトを差し込むためのコンタクト室と、該コンタクト室に差し込まれたコンタクトの導線をシールするためのゲルシールとを備えている形式のものに関する。
【背景技術】
【０００２】
このような形式のコネクタ部材は、例えば国際公開第９５／０２７３２１号パンフレットに基づき公知である。
【０００３】
差込みコネクタは、しばしば接触接続領域内に流体が侵入しないようにシールされることが望ましい。差込みコネクタケーシングとケーブル絶縁材との間に液状媒体が流入することを防止するためには、複数のコンセプトが存在する。即ち、各ケーブルがそれぞれエラストマシールによって取り囲まれた単線シール、或いはエラストマ又はゲルから成る集合シールである。後者の原理は例えば前掲の国際公開第９５／０２７３２１号パンフレットから公知である。この場合、差込みコネクタはゲル製のプレートを有しており、このプレートを貫通して、コンタクトが差込みコネクタの組立て時に差し込まれる。この場合、ゲルはコンタクトの後方で再び合流し、このようにして、ケーブル絶縁材の全周を巡ってシールを形成する。ゲルにおける規定された静水圧のために働く押圧プレートを備えたジオメトリックな構成は、ドイツ連邦共和国実用新案第２００１６７４４号明細書に記載されている。
【０００４】
コンタクトがゲルプレートを貫通して差し込まれる場合は、しばしばゲルもソケットコンタクトの内部延いては接触接続領域内に到達する。そこからゲルはワイヤハーネス製作のテストアダプタに収容され、このテストアダプタに集まる。このことは、テストアダプタのエラー表示を招く恐れがある。更に、大型のコンタクトについては、小さな外径を有するケーブルにおける確実なシール作用が最早保証され得ない程の多量のゲルが、シール範囲から除去される恐れがある。
【特許文献１】国際公開第９５／０２７３２１号パンフレット
【特許文献２】ドイツ連邦共和国実用新案第２００１６７４４号明細書
【発明の開示】
【発明が解決しようとする課題】
【０００５】
本発明の課題は、冒頭で述べた形式のコネクタ部材を改良して、コンタクト室にゲルが流入する恐れのないゲルシールを提供することである。
【課題を解決するための手段】
【０００６】
この課題を解決するために本発明では、１つのスリーブを成すように補完し合う２つ又は複数のスリーブ部材が設けられており、これらのスリーブ部材の内の少なくとも一方にゲルが充填されており、コンタクトが差し込まれた状態でスリーブを成すように閉じられたスリーブ部材がそれぞれ導線を取り囲んでおり、該導線が、周囲のゲルによりシールされているようにした。
【発明の効果】
【０００７】
本発明に基づいて、ゲルはコネクタ部材の供給状態又は出発状態で、コネクタ部材の組立て後に初めてコンタクトと一緒に最終位置へもたらされる、コネクタ部材の部分エレメントに付与されている。この場合、これらの部分エレメントの位置決め過程に基づいて、ゲルはコンタクトのケーブルを巡って圧縮され、このケーブルをシールする。ゲルの付着特性がシール作用を促進する。ゲルの接触接続領域内への延引は起こり得ない。本発明によるゲルシールは任意のサイズのコンタクトに使用可能である。
【発明を実施するための最良の形態】
【０００８】
以下に、本発明を実施するための最良の形態を図面につき詳しく説明する。
【０００９】
図１ａ及び図１ｂに示したコネクタ部材２は、別のコネクタ部材（図示せず）との電気的な差込み接続部を形成するために役立ち且つコネクタケーシング若しくはコンタクト支持体３を有している。このコンタクト支持体３の内部にはコンタクト室４が設けられており、このコンタクト室４にはコネクタ部材２のコンタクト５がケーブル（導線）７と一緒に差込み方向８で挿入されている。コンタクト支持体３の、差込み方向８とは反対の側のケーブル出発側の端部には、２つのハーフシェル形のスリーブ半部９がそれぞれジョイント１０によって結合されており、これらのジョイント１０は、コンタクト室４に関して互いに対向位置しており且つ膜ヒンジとして構成されていてよい。この場合、コンタクト支持体３と両スリーブ半部９とは、単一のプラスチック射出成形部材として製作可能である。両スリーブ半部９は内部にゲル１１が充填されており、このゲル１１は自発的には変形しないが、外部の圧力作用によって変形可能である。
【００１０】
図１ａには両スリーブ半部９が開かれた出発状態で示されており、この出発状態においてコンタクト５がスリーブ半部９間のコンタクト室４に挿入可能である。今、コンタクト５が差し込まれると、両スリーブ半部９は内側に向かって閉じ合わされる（矢印１２）ので、両スリーブ半部９はケーブル７を取り囲むように、図１ｂに示した閉じられたスリーブ１３を形成する。両スリーブ半部９が閉じられると、内部のゲル１１がケーブル７の周囲を巡って圧縮され、これにより、ケーブル７をシールし且つケーブル７に沿った液体流入を防止するゲルシールが形成される。この場合、ゲル１１の付着特性がシール作用を促進する。ゲル１１の接触接続領域内、つまりコンタクト室４内への延引は起こり得ない。
【００１１】
閉鎖されたスリーブ位置における両スリーブ半部９の相互の位置固定は、スナップフック１５によって行われる。このスナップフック１５は、一方のスリーブ半部９に設けられており且つ他方のスリーブ半部９に係止する。スリーブ１３のジョイント１０とは反対の側の端部はカバー１６によって閉鎖されており、このカバー１６は、ケーブル７をシール作用を以て案内するための、できるだけ正確に適合した１つの開口１７を有しており且つ両スリーブ半部９にそれぞれ設けられたカバー半部１８によって形成されている。カバー１６によって特に、両スリーブ半部９の閉鎖時にゲル１１が上方に向かって漏出する恐れがあるということが防止され、延いてはスリーブ内部でのゲル１１の圧縮が支援される。
【００１２】
図２ａ及び図２ｂに示したコネクタ部材２は、図１ａ及び図１ｂに示したコネクタ部材と、２つのハーフシェル形のスリーブ半部９がコンタクト支持体３と永続的に結合されているのではなく、それぞれ別個の構成部材であるという点において異なっているだけである。両スリーブ半部９は、できるだけコンタクト支持体３の近くでケーブル７を取り囲んでスリーブ１３を成すように閉じられてから、コンタクト支持体３に固定される。この固定は、図示の実施例では係止フック１９によって行われ、これらの係止フック１９はそれぞれスリーブ半部９に設けられており且つコンタクト支持体３において係止する。
【００１３】
図１及び図２に示した電気的な差込みコネクタは、例えばコネクタ部材２が１列に配置された複数のコンタクト室４を有しており、これらのコンタクト室４に複数のコンタクト５がそのケーブル７と一緒に挿入される、１列の差込みコネクタであってもよい。ケーブル７はそれぞれ、列に沿って延びる、ゲルの充填された２つのスリーブ半部９を閉じ合わせることによりシールされ、この場合、両スリーブ半部９によって形成されたスリーブ１３は全てのケーブル７を取り囲む。
【図面の簡単な説明】
【００１４】
【図１ａ】本発明によるコネクタ部材の第１実施例を、開かれた出発位置における、ゲルの充填されたハーフシェル形のスリーブ半部と一緒に示した断面図である。
【図１ｂ】本発明によるコネクタ部材の第１実施例を、閉じられたシール位置における、ゲルの充填されたハーフシェル形のスリーブ半部と一緒に示した断面図である。
【図２ａ】本発明によるコネクタ部材の第２実施例を、開かれた出発位置における、ゲルの充填されたハーフシェル形のスリーブ半部と一緒に示した断面図である。
【図２ｂ】本発明によるコネクタ部材の第２実施例を、閉じられたシール位置における、ゲルの充填されたハーフシェル形のスリーブ半部と一緒に示した断面図である。
【符号の説明】
【００１５】
２  コネクタ部材、  ３  コンタクト支持体、  ４  コンタクト室、  ５  コンタクト、  ７  ケーブル、  ８  差込み方向、  ９  スリーブ半部、  １０  ジョイント、  １１  ゲル、  １３  スリーブ、  １５  スナップフック、  １６  カバー、  １７  開口、  １８  カバー半部、  １９  係止フック
【図１ａ】
2007311351.tif 000003
【図１ｂ】
2007311351.tif 000004
【図２ａ】
2007311351.tif 000005
【図２ｂ】
2007311351.tif 000006